(57)【要約】【課題】型枠間へ打設されたコンクリートの重圧によっても型枠の間隔を確実にして正確に保持すると共に、捨てコンクリートと型枠下端面との間の隙間を極力狭める。【解決手段】型枠外側面F1を当接支持する障壁2aを直立配置した左右一対の型枠支持部材２と、前記障壁2a下端に端部3aを着脱自在に掛止することにより型枠支持部材２間に架設する連接杆３とから型枠間隔保持具１を構成する。  型枠内に打設されたコンクリートの重圧によって型枠支持部材２を左右外方へ押圧する力が連接杆３の軸線上で引張力として働き、障壁2aを押し曲げる様に作用しないから、薄肉で細長な連接杆３を用いることができ、捨てコンクリートと型枠下端面との間の隙間を極力狭められる。【選択図】図１
2010285841.tif 000002
【特許請求の範囲】
【請求項１】
型枠外側面を当接支持する障壁を直立配置した左右一対の型枠支持部材と、前記障壁下端に端部を着脱自在に掛止することにより型枠支持部材間に架設する連接杆とから構成したことを特徴とする型枠間隔保持具。
【請求項２】
型枠支持部材は長尺に形成され、その長手方向の両端部間に連接杆を架設したことを特徴とする請求項１記載の型枠間隔保持具。
【請求項３】
型枠支持部材は長尺に形成され、その長手方向で所定間隔置きに連接杆端部の掛止部を複数形成し、型枠支持部材間に複数の連接杆を架設可能と成したことを特徴とする請求項１記載の型枠間隔保持具。
【請求項４】
障壁には、その上端から下端へ渡ってスリットを形成し、連接杆はスリット挿通部に連続する端部をスリット挿通不可能形状に形成したことを特徴とする請求項１、２又は３記載の型枠間隔保持具。
【請求項５】
連接杆は、障壁との掛止状態で障壁内側面に位置対応する障壁掛止部位から型枠の厚み分だけ内側に、型枠内側面を当接支持する内側規制片を切起形成したことを特徴とする請求項１、２、３又は４記載の型枠間隔保持具。
【請求項６】
連接杆は、障壁との掛止状態で障壁内側面に位置対応する障壁掛止部位から型枠の厚み分だけ内側で分断可能と成したことを特徴とする請求項１、２、３、４又は５記載の型枠間隔保持具。
【発明の詳細な説明】
【技術分野】
【０００１】
本発明は、建築物における布基礎の構築に用いられるコンクリート打設用型枠の間隔保持具に関する。
【背景技術】
【０００２】
この種の間隔保持具は、帯状鋼板の両端を直角に折り曲げて型枠外側を当接支持する外側規制片を設けると共に、該外側規制片から型枠の厚み分だけ内側に、型枠内側を当接支持する内側規制片を切起形成している（例えば、特許文献１参照）。
この間隔保持具は、外側規制片が単に起曲されただけのため、外側規制片を内側へ押し曲げようとする押圧力には強いが、外側規制片を起曲前の外側へ押し曲げようとする押圧力に弱い。
したがって、コンクリート打設によって型枠を外側へ押し広げようとする押圧力を外側規制片が充分に受け止められるようにするために、間隔保持具の素材に分厚くて幅広な鋼板を使用したり、或いは材料費軽減と強度向上を図るべく間隔保持具全体にリブを形成している。
【先行技術文献】
【特許文献】
【０００３】
【特許文献１】実公平１−１８７５６号公報
【発明の概要】
【発明が解決しようとする課題】
【０００４】
しかしながら、間隔保持具は、捨てコンクリート上に設置される型枠の長手方向に所定間隔置きに配置し、その左右に立設する内側規制片と外側規制片の間に型枠下端部を嵌め込む様にして左右の型枠の間隔を保持するものであるから、当然ながら型枠は、間隔保持具上に載置されることになる。
そうすると、間隔保持具が、強度向上のため肉厚だったり、リブを形成していると、その厚みは増すため、型枠を載上している間隔保持具によって捨てコンクリートと型枠下端面との間に空隙が生じ、かかる状態で型枠間にコンクリートを打設すると、前記空隙から打設コンクリートの一部が食み出て固化するので、この固化部分を脱型後に削る手間を有している。
そこで、本発明では、型枠間へ打設されたコンクリートの重圧によっても型枠の間隔を確実にして正確に保持すると共に、捨てコンクリートと型枠下端面との間の隙間を極力狭める様にした型枠間隔保持具を提供することを目的としている。
【課題を解決するための手段】
【０００５】
上記課題に鑑み、本発明の型枠間隔保持具は、型枠外側面を当接支持する障壁を直立配置した左右一対の型枠支持部材と、前記障壁下端に端部を着脱自在に掛止することにより型枠支持部材間に架設する連接杆とから構成したことを特徴としている。
又、型枠支持部材は長尺に形成され、その長手方向の両端部間に連接杆を架設したり、或いはその長手方向で所定間隔置きに連接杆端部の掛止部を複数形成し、型枠支持部材間に複数の連接杆を架設可能と成してもよい。
より具体的な構成としては、障壁には、その上端から下端へ渡ってスリットを形成し、連接杆はスリット挿通部に連続する端部をスリット挿通不可能形状に形成する。
更に、連接杆は、障壁との掛止状態で障壁内側面に位置対応する障壁掛止部位から型枠の厚み分だけ内側に、型枠内側面を当接支持する内側規制片を切起形成したり、前記内側で分断可能と成している。
【発明の効果】
【０００６】
要するに本発明は、型枠外側面を当接支持する障壁を直立配置した左右一対の型枠支持部材と、前記障壁下端に端部を着脱自在に掛止することにより型枠支持部材間に架設する連接杆とから成り、障壁を所定間隔を置いて対向する様にして左右の型枠支持部材を配置すると共に、障壁下端に連接杆の各端部を掛止して障壁間に連接杆を架設し、障壁内側面に型枠外側面を当接して連接杆上に型枠を立設することにより、型枠の間隔を確実にして正確に保持できる。
かかる状態において、型枠間にコンクリートを打設すると、該コンクリートの重圧によって型枠が左右外方へ押圧されることになるが、連接杆が架設された型枠支持部材によって型枠外側面を当接支持する障壁の間隔が維持されているので、型枠の間隔は打設されたコンクリートが養生固化するまで堅固に保持できる。
【０００７】
よって、本発明によれば、打設されたコンクリートの重圧によって型枠を介して型枠支持部材が左右外方へ押圧され、その押圧力が連接杆の軸線上で引張力として働き、障壁を押し曲げる様に作用しないから、型枠支持部材と連接杆を従来の様に分厚くしたり、これらにリブを形成して強度向上を図る必要がなく、連接杆を従来に比し飛躍的に薄肉で細長く形成しても、型枠支持部材の間隔、延いては型枠の間隔を保持するのに充分な強度を有するので、従来に比し薄肉で細長な連接杆を用いることにより、捨てコンクリートと型枠下端面との間の隙間を極力狭められ、型枠下端からコンクリートの一部が食み出て固化する不具合を解消できる。
しかも、脱型後は、連接杆の各端部から障壁下端を離脱することにより、型枠支持部材を再使用できるから、連接杆が薄肉で細長に形成できることも相俟って材料費を従来に比し飛躍的に削減できる。
【０００８】
又、型枠支持部材は長尺に形成され、その長手方向の両端部間に連接杆を架設したので、左右の型枠をその長手方向に渡って当接支持できると共に、コンクリートの打設で型枠が外方へ押圧されても、型枠の間隔は型枠支持部材間に架設した連接杆にて容易に維持できる。
この様に、２本の連接杆と２本の型枠支持部材で左右の型枠を上記の様に間隔保持できる方形枠を構成できるため、従来に比し使用本数を低減できるだけでなく、その作業効率を向上でき、しかも最終的には上記と同様に使用した型枠支持部材は回収できるのでコストを低減できる。
【０００９】
更に、型枠支持部材は長尺に形成され、その長手方向で所定間隔置きに連接杆端部の掛止部を複数形成し、型枠支持部材間に複数の連接杆を架設可能と成したので、上記の様に２本の連接杆と２本の型枠支持部材で構成する方形枠では、コンクリートの重圧により左右の型枠を充分に間隔保持できない場合には、連接杆の本数を適宜に増やして型枠の間隔を確実にして正確に保持できる。
しかも、適宜に増設される連接杆は、その各端部を各型枠支持部材に形成した掛止部に掛止さえすればよいので、型枠支持部材に対する連接杆の位置決めが容易で作業性を妨げることなく、効率的に作業できる。
【００１０】
そして、障壁には、その上端から下端へ渡ってスリットを形成し、連接杆はスリット挿通部に連続する端部をスリット挿通不可能形状に形成し、連接杆端部をスリットに差込みロックする様に成したので、型枠支持部材も連接杆も極めて簡単な構造であり、その製造費を安価にできる。
【００１１】
又、連接杆は、障壁との掛止状態で障壁内側面に位置対応する障壁掛止部位から型枠の厚み分だけ内側に、型枠内側面を当接支持する内側規制片を切起形成したので、従来と同様に、内側規制片により型枠の内側面をも当接支持することで、コンクリート打設時の衝撃によっても型枠が簡単に倒れることがなく、より簡単に型枠を設置でき、一層確実にして正確な間隔保持が可能となる。
【００１２】
更に、連接杆は、障壁との掛止状態で障壁内側面に位置対応する障壁掛止部位から型枠の厚み分だけ内側で分断可能に形成したので、脱型後において構築された布基礎の下端部左右から露出し、この時点からはもはや不要でその後の作業の邪魔物でしかない連接杆の端部側を撤去できると共に、分断後であれば型枠支持部材との掛止解除も比較的容易に行え、分断部分の廃棄のための収集作業や型枠支持部材の回収作業を同時に行え、その作業が捗る。
しかも、連接杆は薄肉で細長く形成可能なため分断部分の廃棄量を軽減でき、その廃棄費用も低減できる等その実用的効果甚だ大である。
【図面の簡単な説明】
【００１３】
【図１】型枠間隔保持具の第一実施例を示す斜視図である。
【図２】同上変形例を示す斜視図である。
【図３】第二実施例を示す斜視図である。
【図４】同上一変形例を示す斜視図である。
【図５】第一実施例の使用状態を示す斜視図である。
【図６】第二実施例の使用状態を示す斜視図である。
【図７】型枠内へのコンクリート打設状態を示す要部断面図である。
【図８】脱型後の状態を示す要部断面図である。
【図９】連接杆分断後の状態を示す要部断面図である。
【発明を実施するための形態】
【００１４】
以下本発明の実施の一形態例を図面に基づいて説明する。
図１は本発明に係る型枠間隔保持具１の第一実施例を示す分解斜視図を示す。
この型枠間隔保持具１は、金属、その他剛性を有する材料から形成されるものにして、型枠外側面F1を当接支持する障壁2aを直立配置した左右一対の型枠支持部材２と、障壁2aの下端に端部3aを着脱自在に掛止することにより型枠支持部材２間に架設する連接杆３とから構成している。
【００１５】
型枠支持部材２は、捨てコンクリートＧ上に水平設置される基盤2bの基端に障壁2aを垂直立設したＬ字板から成り、障壁2aと基盤2bは、その厚みを極めて薄く形成している。
そして、障壁2aには、その中央の上端から下端へ渡って形成したスリットを連接杆端部3aの掛止部2c（以下、スリット2cとも称する。）と成している。
【００１６】
連接杆３は、所定長さを有する薄肉で細長帯板状に形成され、各端部3aの端縁より長手方向へ所定長さ離間した部位をスリット2cより幅小に括れる様に切欠形成してスリット挿通部3bと成し、該スリット挿通部3bに連続する端部3aをスリット挿通不可能形状（図示例の様なスリット2cより幅大な形状、或いは図示しないＴ字形状、Ｌ字状鉤型など）に形成し、スリット2cにスリット挿通部3bを挿通したときに連接杆端部3aが障壁外側面2dで抜止めされる様に成している。
【００１７】
連接杆３において、障壁2aとの掛止状態で障壁内側面2eに位置対応する障壁掛止部位3cから型枠Ｆの厚み分だけ内側には、型枠内側面F2を当接支持する内側規制片3dを切起形成している。
内側規制片3dは、図１に示す様に、連接杆３の一方の長手側縁から長手方向で平行な２条の切り込みを半幅分形成し、該切り込み間の舌片を直角に起曲することで形成される。
【００１８】
この様に、内側規制片3dを切起形成することにより、連接杆３は障壁掛止部位3cから型枠Ｆの厚み分だけ内側部位に打抜き穴3eが設けられることになり、該打抜き穴3eの形成によりかかる打抜き穴形成部位3eにおける連接杆３の実質的な幅（以下、実質幅と称する。）が減じられ（図示例では半幅）、打抜き穴形成部位3eでの連接杆３の分断を可能と成している。
尚、連接杆３の分断に当たっては、上記の通り、もともと連接杆３自体が薄肉で細長であり、打抜き穴形成部位3eの実質幅が半幅に形成されることで、ペンチ等の適宜工具を用いずとも簡単にねじ切れるが、ペンチ等を利用したり、その他の切断用工具を用いても良い。
【００１９】
又、内側規制片3dは上記構成に限定されず、図２にその変形例を示す様に、連接杆３の軸線上で、先端が内向きに指向する舌状輪郭の切込みを基端を残して形成し、この切込みの内側の舌片を直角に起曲することで形成しても良い。
【００２０】
次に、型枠間隔保持具１の第二実施例を図３、４に基づき説明する。
この型枠間隔保持具１は、主に型枠支持部材２を変形したものであり、連接杆３は、図１、２のいずれか（図示例では図１で示す連接杆３）を少なくとも２本用いる。
よって、第一実施例と同一又は相当部分には、同じ符号を図中に付し、説明を省略する。
【００２１】
この実施例で用いられる型枠支持部材２は、型枠Ｆの長手方向に沿う様に長尺に形成されている。
そして、障壁2aの長手方向で所定間隔置きに連接杆端部3aの掛止部であるスリット2cを複数形成し、型枠支持部材２間に複数の連接杆３を架設可能と成している。
【００２２】
図３では、長尺な型枠支持部材２において、その長手方向の両端部間に連接杆３を架設し、２本の連接杆３と２本の型枠支持部材２で方形枠を構成し、長尺な型枠支持部材２を用いる場合には、その方形枠を基本形態としている。
型枠支持部材２の長さは適宜に設定され、必要に応じて図４に示す一変形例の様に、２本以上の連接杆３を型枠支持部材２間に架設しても良い。
【００２３】
次に、上記の様に構成された型枠間隔保持具１の使用法について、図５〜９に基づき説明する。
ここに図５は第一実施例の使用状態を示す斜視図、図６は第二実施例の使用状態を示す斜視図であり、図中では便宜上、図１に示す連接杆３を代表して示しているが、当然ながら図２に示す連接杆３を使用しても良い。
又、図７〜９は第一、第二実施例における型枠間隔保持具１の使用工程を示す断面図を工程順に示している。
【００２４】
先ず、第一実施例では、型枠支持部材２のスリット2cに連接杆３のスリット挿通部3bを挿通してこれに連続する端部3aを障壁内側面2eに抜止め掛止し、これにより型枠間隔保持具１を構成する。
そして、複数の型枠間隔保持具１を、図５に示す様に、捨てコンクリートＧ上に適当間隔に並べ左右の障壁2aと内側規制片3dとの間に型枠Ｆを介在させる様にしてその下端面を連接杆３上に配置する。
【００２５】
第二実施例では、捨てコンクリートＧ上に長尺な型枠支持部材２を左右に平行配置し、該型枠支持部材２の長手方向両端の掛止部（スリット）2cに、上記と同様に連接杆３のスリット挿通部3bを挿通し、これに連続する端部3aを障壁内側面2eに抜止め掛止して図６の実線で示す方形枠を構成する。
又、必要に応じ、上記両端以外の適宜な掛止部2cに図６中一点鎖線で示す如く連接杆端部3aを掛止して左右の型枠支持部材２間に多数の連接杆３を架設し、型枠間隔保持具１を構成する。
そして、図示の様に、左右の障壁2aと内側規制片3dとの間に型枠Ｆを介在させる様にしてその下端面を連接杆３上に配置する。
【００２６】
第一、第二実施例ともに上記の如く左右の型枠Ｆを設置することにより、型枠Ｆの間隔は正確にして一定に保持される。
次いで、図７に示す様に、型枠Ｆ間にコンクリートＣを打設する。
これにより、コンクリートＣの重圧によって型枠Ｆが左右外方へ押圧されることになり、型枠支持部材２間に架設された連接杆３は緊張するため、型枠支持部材２の間隔、延いては型枠Ｆの間隔がより正確に間隔保持される。
【００２７】
尚、連接杆３の内側規制片3dは、型枠Ｆの内側面を当接支持して型枠Ｆの設置状態を規制するものであるが、上記の様に、型枠Ｆ内にコンクリートＣが打設されることにより、該コンクリートＣの重圧で型枠Ｆは型枠支持部材２の障壁2aにぴったり密接することになるので、内側規制片3dは必ずしも連接杆３に形成する必要でなく、若しくは形成したとしても起曲する必要はない。
【００２８】
この様に、型枠Ｆ内へ打設したコンクリートＣの重圧によって型枠Ｆを介して型枠支持部材２を左右外方へ押圧する力は、連接杆３の軸線上で引張力として働き、障壁2aを押し曲げる様に作用しないから、型枠支持部材２と連接杆３を従来の様に分厚くしたり、これらにリブを形成したりする必要がない。
よって、連接杆３を従来に比し飛躍的に薄く、細く形成しても、型枠支持部材２（型枠Ｆ）の間隔を保持するのに充分な強度を有するので、図示例にも示す様に薄肉で細長な連接杆３と厚みを極力薄くした型枠支持部材２を用いることにより、捨てコンクリートＣと型枠Ｆの下端面との間の隙間を極力狭められ、型枠Ｆ下端からコンクリートＣの一部が食み出て固化することがない。
【００２９】
そして、型枠Ｆ内に打設したコンクリートＣが養生固化したら、図８に示す様に、脱型する。
これにより、捨てコンクリートＧ上に布基礎Ｃが形成され、該布基礎Ｃ内には連接杆３において中央の内側規制片3dの間隔相当部分が埋設されることになる。
したがって、布基礎Ｃの下端部左右からは、内側規制片3dより外方に相当する部分（端部3a側）が型枠支持部材２との掛止状態を保持したまま露出している。
【００３０】
かかる状態において、順番は次のどちらが先でもよいが、連接杆３の各端部3aから型枠支持部材２を離脱し、端部3a側を工具等を使用して分断する（図９参照）。
そして、型枠支持部材２は回収して再使用し、分断した連接杆３の端部3a側は廃棄する。
【符号の説明】
【００３１】
２  型枠支持部材
2a  障壁
2c  掛止部（スリット）
2e  障壁内側面
３  連接杆
3a  （連接杆）端部
3b  スリット挿通部
3c  障壁掛止部位
3d  内側規制片
Ｆ  型枠
F1  型枠外側面
F2  型枠内側面
【図１】
2010285841.tif 000003
【図２】
2010285841.tif 000004
【図３】
2010285841.tif 000005
【図４】
2010285841.tif 000006
【図５】
2010285841.tif 000007
【図６】
2010285841.tif 000008
【図７】
2010285841.tif 000009
【図８】
2010285841.tif 000010
【図９】
2010285841.tif 000011